(57)【特許請求の範囲】
【請求項１】
コンピュータが実行する、
ユーザの商品又はサービスの購入に関する決済を行うための決済用コードを生成するための決済用トークンと、前記ユーザに前記商品又はサービスを提供する提供者を識別する提供者識別情報と、店舗を識別する店舗識別情報又は事業者を識別する事業者識別情報とを関連付けて記憶部に記憶させるステップと、
前記決済用トークンに基づいて生成された前記提供者が提示した前記決済用コードを読み取った前記ユーザが使用するユーザ端末から、前記決済用トークンを受信するステップと、
前記決済用トークンを受信すると、前記ユーザの前記商品又はサービスの購入に関する決済を実行するとともに、当該決済用トークンに関連付けて前記記憶部に記憶されている前記店舗識別情報又は前記事業者識別情報に対応する口座に、当該決済に対応する決済金額を入金するステップと、
受信した前記決済用トークンに関連付けて前記記憶部に記憶されている前記提供者識別情報と、実行された前記決済の情報とを関連付けて前記記憶部に記憶させるステップと、
を有する決済処理方法。
【請求項２】
前記コンピュータが実行する、前記提供者が使用する提供者端末から、前記提供者識別情報と、前記決済用コードの発行要求とを受信するステップをさらに有し、
前記決済用トークンを記憶させるステップにおいて、前記コンピュータは、前記決済用コードの発行要求を受信すると、前記決済用トークンと、前記提供者識別情報と、前記店舗識別情報又は前記事業者識別情報とを関連付けて前記記憶部に記憶させる、
請求項１に記載の決済処理方法。
【請求項３】
前記発行要求を受信するステップにおいて、前記コンピュータは、前記提供者が使用する提供者端末から前記決済金額を含む決済情報をさらに受信し、
前記コンピュータが実行する、前記決済用コードの発行要求を受信すると、前記決済用トークンを生成するステップをさらに有し、
前記決済用トークンを記憶させるステップにおいて、前記コンピュータは、生成した前記決済用トークンと、受信した前記決済情報とを関連付けて前記記憶部に記憶させ、
前記決済を実行するステップにおいて、前記コンピュータは、前記決済用トークンを受信すると、受信した前記決済用トークンに関連付けられている前記決済情報に基づいて前記決済を実行するとともに、前記店舗識別情報又は前記事業者識別情報に対応する口座に、当該決済情報に含まれている決済金額を入金する、
請求項２に記載の決済処理方法。
【請求項４】
前記発行要求を受信するステップにおいて、前記コンピュータは、前記提供者が使用する提供者端末から前記決済金額を含む決済情報をさらに受信し、
前記コンピュータが実行する、前記決済用コードの発行要求を受信すると、前記提供者識別情報を含む前記決済用トークンを生成するステップをさらに有し、
前記決済用トークンを記憶させるステップにおいて、前記コンピュータは、生成した前記決済用トークンと、受信した前記決済情報とを関連付けて前記記憶部に記憶させ、
前記決済を実行するステップにおいて、前記コンピュータは、前記決済用トークンを受信すると、受信した前記決済用トークンに関連付けられている前記決済情報に基づいて前記決済を実行するとともに、前記店舗識別情報又は前記事業者識別情報に対応する口座に、当該決済情報に含まれている決済金額を入金する、
請求項２に記載の決済処理方法。
【請求項５】
前記決済用トークンを受信するステップにおいて、前記コンピュータは、前記ユーザ端末から、前記決済用トークンと、前記ユーザの前記商品又はサービスの購入に関する決済金額を含む決済情報とを受信し、
前記決済を実行するステップにおいて、前記コンピュータは、前記決済用トークンを受信すると、前記ユーザ端末から前記決済用トークンとともに受信した前記決済情報に基づいて前記決済を実行するとともに、前記店舗識別情報又は前記事業者識別情報に対応する口座に、当該決済情報に含まれている決済金額を入金する、
請求項１又は２に記載の決済処理方法。
【請求項６】
前記コンピュータが実行する、前記提供者が使用する提供者端末から、前記提供者識別情報と、前記決済用コードの発行要求と、前記提供者が属する前記店舗に対応する前記店舗識別情報又は前記店舗に対応する事業者を識別する前記事業者識別情報とを受信するステップをさらに有し、
前記決済用トークンを前記記憶部に記憶させるステップにおいて、前記コンピュータは、前記決済用コードの発行要求を受信すると、前記決済用トークンと、前記提供者識別情報と、前記店舗識別情報又は前記事業者識別情報とを関連付けて前記記憶部に記憶させる、
請求項１から５のいずれか１項に記載の決済処理方法。
【請求項７】
前記コンピュータが実行する、前記決済用コードの発行要求を受信すると、前記事業者識別情報を含む前記決済用トークンを生成するステップをさらに有し、
前記決済用トークンを記憶部に記憶させるステップにおいて、前記コンピュータは、生成された前記決済用トークンと、前記提供者識別情報と、前記店舗識別情報又は前記事業者識別情報とを関連付けて前記記憶部に記憶させる、
請求項６に記載の決済処理方法。
【請求項８】
前記決済用トークンを記憶させるステップにおいて、前記コンピュータは、前記提供者識別情報としての、前記提供者が使用する提供者端末を識別する端末識別情報、又は前記提供者識別情報と異なる前記端末識別情報と、前記決済用トークンとを関連付けて前記記憶部に記憶させる、
請求項１から７のいずれか１項に記載の決済処理方法。
【請求項９】
前記決済用トークンに記憶させるステップにおいて、前記コンピュータは、複数の前記決済用トークンのそれぞれに、異なる前記提供者識別情報と、前記提供者識別情報が示す提供者が属する同一の事業者を示す事業者識別情報とを関連付けて記憶部に記憶させる、
請求項５に記載の決済処理方法。
【請求項１０】
前記コンピュータが実行する、前記決済が完了すると、前記決済が完了したことを示す決済完了情報と、前記提供者識別情報とを関連付けて前記提供者が使用する提供者端末に送信するステップをさらに有する、
請求項１から９のいずれか１項に記載の決済処理方法。
【請求項１１】
前記決済用トークンを受信するステップにおいて、前記コンピュータは、前記ユーザ端末から、前記ユーザが前記提供者に付与する付与金額を示す情報をさらに受信し、
前記コンピュータが実行する、前記ユーザ端末から受信した前記付与金額を示す情報と、前記受信した前記決済用トークンに関連付けられている前記提供者識別情報とを関連付けるステップをさらに有する、
請求項１から１０のいずれか１項に記載の決済処理方法。
【請求項１２】
前記決済を実行するステップにおいて、前記コンピュータは、前記決済用トークンを受信すると、前記付与金額と、前記ユーザ端末から受信した前記決済用トークンに対応する前記決済金額とに基づく決済を実行する、
請求項１１に記載の決済処理方法。
【請求項１３】
前記店舗識別情報は、前記提供者が属する店舗を識別する情報であり、
前記決済を実行するステップにおいて、前記コンピュータは、前記店舗識別情報に対応する口座に、前記決済金額を入金する、
請求項１から１２のいずれか１項に記載の決済処理方法。
【請求項１４】
前記事業者識別情報は、前記提供者が属する店舗を運営する事業者を識別する情報であり、
前記決済を実行するステップにおいて、前記コンピュータは、前記事業者識別情報に対応する口座に、前記決済金額を入金する、
請求項１から１２のいずれか１項に記載の決済処理方法。
【発明の詳細な説明】
【技術分野】
【０００１】
本発明は、決済処理方法に関する。
【背景技術】
【０００２】
従来、二次元バーコードを用いて決済を行う方法が知られている。例えば、特許文献１には、ユーザの端末が、代金を支払うために静的な二次元バーコードを読み取ると、販売者識別コードと、ユーザが支払うべき金額、ウェイター等のサービス提供者を識別する提供者識別コードを入力できる入力欄を含むページを表示し、ユーザから金額の入力を受け付けることにより、決済することができる方法が開示されている。特許文献１に開示された方法において、ユーザは、支払額に、サービス提供者に対するチップとしてのサービス料を追加したり、支払金額に含まれているサービス料の金額を変更することができる。
【先行技術文献】
【特許文献】
【０００３】
【特許文献１】国際公開第２０１３／０６８７６５号
【発明の概要】
【発明が解決しようとする課題】
【０００４】
ところで、特許文献１では、サービスを提供したサービス提供者コードを誤ってユーザが入力したり、あるいはサービス提供者コードを何も入力せずに決済処理したりする可能性がある。これにより、適切なサービス提供者にサービス料を付与することができないという問題や、どのサービス提供者が誰にサービスを提供したのかが不明となる問題が発生する。
【０００５】
そこで、本発明はこれらの点に鑑みてなされたものであり、ユーザにサービスを提供したサービス提供者を特定することができる決済処理方法を提供することを目的とする。
【課題を解決するための手段】
【０００６】
本発明の第１の態様に係る決済処理方法は、コンピュータが実行する、ユーザに商品又はサービスを提供する提供者が使用する提供者端末から、前記提供者を識別する提供者識別情報と、前記ユーザの前記商品又はサービスの購入に関する決済情報と、前記購入に関する決済を行うための決済用コードの発行要求とを受信するステップと、前記決済用コードを生成するための決済用トークンと、受信した前記提供者識別情報と、受信した前記決済情報とを関連付けて記憶部に記憶させるステップと、前記決済用トークンを前記提供者端末に送信するステップと、前記決済用トークンに基づいて前記提供者端末が表示した前記決済用コードを読み取った前記ユーザが使用するユーザ端末から、前記決済用トークンを受信するステップと、前記決済用トークンを受信すると、前記ユーザ端末から受信した前記決済用トークンに対応する前記決済情報に基づく決済を実行するステップと、を有する。
【０００７】
本発明の第２の態様に係る決済処理方法は、コンピュータが実行する、ユーザに商品又はサービスを提供する提供者を識別する提供者識別情報と、前記商品又はサービスの購入に関する決済を行うための決済用コードを示す決済用トークンとを関連付けて記憶部に記憶させるステップと、前記決済用トークンに対応する前記決済用コードを読み取ったユーザ端末であって、前記提供者から前記商品又はサービスを提供されるユーザが使用するユーザ端末から、前記決済用トークンと、前記ユーザの前記商品又はサービスの購入に関する決済情報とを受信するステップと、前記決済用トークンを受信すると、前記ユーザ端末から受信した前記決済用トークンに対応する前記決済情報とに基づく決済を実行するステップと、を有する。
【発明の効果】
【０００８】
本発明によれば、ユーザにサービスを提供したサービス提供者を特定することができるという効果を奏する。
【図面の簡単な説明】
【０００９】
【図１】決済システムの概要を示す図である。
【図２】決済処理装置の機能構成を示す図である。
【図３】店舗別提供者情報の一例を示す図である。
【図４】ユーザ端末の機能構成を示す図である。
【図５】提供者端末の機能構成を示す図である。
【図６】決済システムの動作シーケンス図である。
【図７】図６に続く動作シーケンス図である。
【図８】ユーザが商品を購入する前に、提供者端末が決済用コードの発行要求を行うときの決済システムの動作シーケンス図である。
【図９】図８に続く動作シーケンス図である。
【発明を実施するための形態】
【００１０】
［決済システムＳの概要］
図１は、決済システムＳの概要を示す図である。決済システムＳは、ユーザが店舗等において商品又はサービスを購入する場合に、提供者端末３からの要求に応じて決済用コードを提供者端末３に表示させ、ユーザ端末で決済用コードを読み取ったことを決済処理装置で特定したことに応じて決済を行うシステムである。決済用コードは、ユーザが使用する端末において読み取れるテキスト又は画像であり、決済時に用いられるコードである。なお、以下の説明において、商品又はサービスをまとめて、単に商品という。また、商品又はサービスの購入場所は、店舗に限らず、タクシー等、店舗とは異なる場所であってもよい。
【００１１】
決済システムＳは、決済処理装置１と、ユーザ端末２と、提供者端末３とを備える。決済処理装置１は、購入金額の決済を行うサーバである。ユーザ端末２は、ユーザが使用する情報端末であり、例えばスマートフォン、タブレット又はパーソナルコンピュータである。提供者端末３は、例えばスマートフォン、タブレット又はＰＯＳ端末である。提供者端末３は、店舗等において、商品をユーザに説明したり商品をユーザに提供したりする店員等であるサービス提供者が使用する端末である。
以下、図１を参照しながら、決済時の流れを説明する。
【００１２】
決済処理装置１は、サービス提供者又はサービス提供者を管理する管理者から、予め、サービス提供者を識別する提供者識別情報としての提供者ＩＤを受け付けて、記憶する（図１における（１））。
【００１３】
その後、ユーザは、店舗において商品の購入を行う。店舗におけるサービス提供者は、ユーザが店舗において会計を行う場合に、例えば提供者端末３において購入対象の商品に付されたバーコードを読み取る。提供者端末３は、ユーザが購入する商品の合計額を示す店舗における決済金額を算出する。また、サービス提供者は、提供者端末３において、決済用コードを提供者端末３に表示させるための操作を行う。提供者端末３は、サービス提供者を識別する提供者識別情報としての提供者ＩＤと、商品又はサービスの購入に関する決済情報と、決済用コードの発行要求とを決済処理装置１に送信する（図１における（２））。決済情報には、算出した決済金額と、店舗を識別する店舗情報としての店舗ＩＤとが含まれている。
【００１４】
決済処理装置１は、提供者端末３から、提供者ＩＤと、決済情報と、決済用コードの発行要求とを受信すると、決済用トークンを生成する（図１における（３））。決済用トークンは、提供者端末３がユーザに提示する決済用コードを提供者端末３が生成する際に用いるデータ列である。ここで、決済用トークンは、決済情報に含まれる店舗ＩＤにより特定される特定の店舗の場合のみ生成されてもよい。決済処理装置１は、生成した決済用トークンと、提供者ＩＤと、決済情報とを関連付けて記憶媒体に記憶する（図１における（４））。
【００１５】
決済処理装置１は、生成した決済用トークンを提供者端末３に送信する（図１における（５））。決済処理装置１は、決済用トークンを暗号化した後に、暗号化した決済用トークンを提供者端末３に送信してもよい。
【００１６】
提供者端末３は、受信した決済用トークンに基づいて決済用コードを生成して表示させる（図１における（６））。
ユーザ端末２は、例えばユーザの操作により、提供者端末３に表示された決済用コードを読み取る（図１における（７））。ユーザ端末２は、ユーザＩＤと、読み取った決済用コードが示す決済用トークンとを決済処理装置１に送信する（図１における（８））。ユーザＩＤは、例えば、決済処理装置１に係るサービスを提供する事業者がユーザに付与するユーザＩＤである。
【００１７】
決済処理装置１は、ユーザ端末２からユーザＩＤと決済用トークンとを受信すると、受信した決済用トークンが、提供者端末３に送信した決済用トークンと一致するか否かを判定する。決済処理装置１は、決済用トークンが一致すると判定した場合に、受信した決済用トークンと関連付けられて記憶されている提供者ＩＤと決済情報とを特定する（図１における（９））。
【００１８】
決済処理装置１は、特定した提供者ＩＤと、決済情報と、ユーザ端末２から受信したユーザＩＤとに基づいて決済処理を実行する（図１における（１０））。決済処理装置１は、提供者ＩＤと決済情報とを関連付けて記憶する（図１における（１１））。
【００１９】
決済システムＳが以上のように動作することで、提供者ＩＤは、提供者が使用する提供者端末３から送信される。これにより、決済時に提供者ＩＤに誤りが発生することを抑制することができるので、ユーザにサービスを提供したサービス提供者を特定することができる。
以下、決済処理装置１、ユーザ端末２、及び提供者端末３の構成の詳細を説明する。
【００２０】
［決済処理装置１の機能構成］
図２は、決済処理装置１の機能構成を示す図である。決済処理装置１は、通信部１１と、記憶部１２と、制御部１３とを有する。
【００２１】
通信部１１は、インターネット等のネットワークを介してユーザ端末２及び提供者端末３とデータを送受信するための通信インターフェースである。
【００２２】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、登録部１３１、発行要求受信部１３２、トークン送信部１３３、決済用情報受信部１３４、及び決済処理部１３５として機能させる決済用プログラムを記憶する。
【００２３】
また、記憶部１２は、提供者ＩＤと、店舗ＩＤとを関連付けた店舗別提供者情報を記憶する。図３は、店舗別提供者情報の一例を示す図である。図３に示すように、複数の店舗ＩＤのそれぞれに、一以上の提供者ＩＤが関連付けられていることが確認できる。
【００２４】
制御部１３は、例えばＣＰＵ（Central Processing Unit）である。制御部１３は、記憶部１２に記憶された決済用プログラムを実行することにより、登録部１３１、発行要求受信部１３２、トークン送信部１３３、決済用情報受信部１３４、及び決済処理部１３５として機能する。制御部１３の各部の動作の詳細については後述する。
【００２５】
［ユーザ端末２の機能構成］
図４は、ユーザ端末２の機能構成を示す図である。ユーザ端末２は、操作部２１と、通信部２２と、読取部２３と、表示部２４と、記憶部２５と、制御部２６とを有する。制御部２６は、操作受付部２６１と、要求送信部２６２と、トークン送信部２６３とを有する。
【００２６】
操作部２１は、ユーザの操作を受け付ける操作デバイスであり、例えば表示部２４の表面に設けられたタッチパネルである。操作部２１は、ユーザがタッチした位置を示す信号を操作受付部２６１に通知する。
【００２７】
通信部２２は、例えば携帯電話網の基地局との間でデータを送受信するための無線通信インターフェースである。通信部２２は、決済用トークン等を決済処理装置１に送信する。
【００２８】
読取部２３は、例えば、カメラである。読取部２３は、提供者端末３に表示された決済用コードを読み取る。
表示部２４は、各種の情報を表示するディスプレイである。
【００２９】
記憶部２５は、ＲＯＭ及びＲＡＭ等を含む記憶媒体である。記憶部２５は、制御部２６が実行するプログラムを記憶している。記憶部２５は、制御部２６を、操作受付部２６１、要求送信部２６２、及びトークン送信部２６３として機能させるプログラムを記憶する。
【００３０】
制御部２６は、例えばＣＰＵであり、記憶部２５に記憶されたプログラムを実行することにより、操作受付部２６１、要求送信部２６２、及びトークン送信部２６３として機能する。
【００３１】
操作受付部２６１は、操作部２１から入力された信号に基づいて、ユーザの操作内容を特定する。操作受付部２６１は、特定した操作内容が、決済用コードを読み取るための操作である場合に、決済用コードを読み取るための操作を受け付けたことをトークン送信部２６３に通知する。トークン送信部２６３は、操作受付部２６１が決済用コードを読み取るための操作を受け付けた場合に、読取部２３に、提供者端末３に表示された決済用コードを読み取らせる。トークン送信部２６３は、読取部２３が決済用コードから抽出した情報を決済用トークンとして取得する。
【００３２】
操作受付部２６１は、トークン送信部２６３が決済用トークンを取得すると、表示部２４に、サービス提供者に付与する付与金額としてのチップの額を受け付ける受付画面を表示させ、チップの額を受け付ける。チップの額の入力は任意であってもよいが、本実施形態では、チップの額を受け付けたものとして説明を進める。
【００３３】
トークン送信部２６３は、取得した決済用トークンと、チップの額を示すチップ情報と、ユーザＩＤとを通信部２２を介して決済処理装置１に送信する。
制御部２６は、表示制御部として機能し、決済処理装置１から、決済が完了したことを示す決済完了情報を受信すると、決済完了情報を表示部２４に表示させる。
【００３４】
［提供者端末３の機能構成］
図５は、提供者端末３の機能構成を示す図である。提供者端末３は、操作部３１と、読取部３２と、通信部３３と、表示部３４と、記憶部３５と、制御部３６とを有する。
【００３５】
操作部３１は、サービス提供者の操作を受け付ける操作デバイスであり、例えば商品を選択するためのボタンや、表示部３４の表面に設けられたタッチパネルである。
【００３６】
読取部３２は、例えば、バーコードリーダであり、サービス提供者が購入する商品に付されているバーコードを読み取る。読取部３２は、読み取ったバーコードが示す情報を制御部３６に出力する。
【００３７】
通信部３３は、例えば決済処理装置１との間でデータを送受信するための通信インターフェースである。通信部３３は、制御部３６の制御に応じて、決済用コードの発行要求、提供者ＩＤ、決済情報を決済処理装置１に送信する。また、通信部３３は、決済処理装置１から決済用トークンを受信する。
【００３８】
表示部３４は、各種の情報を表示するディスプレイである。表示部３４は、例えば、決済金額や決済用コードを表示する。
【００３９】
記憶部３５は、ＲＯＭ及びＲＡＭ等を含む記憶媒体である。記憶部３５は、制御部３６が実行するプログラムを記憶している。記憶部３５は、制御部３６を、登録要求部３６１、決済用情報生成部３６２、決済用情報送信部３６３及びコード生成部３６４として機能させるプログラムを記憶する。また、記憶部３５は、商品ＩＤと、商品の価格とを関連付けた商品ＤＢを記憶する。また、記憶部３５は、提供者端末３を使用するサービス提供者の提供者ＩＤを記憶する。記憶部３５は、提供者端末３を使用するサービス提供者が複数存在する場合、複数のサービス提供者のそれぞれの提供者ＩＤと、サービス提供者の氏名とを関連付けて記憶する。
【００４０】
制御部３６は、例えばＣＰＵであり、記憶部３５に記憶されたプログラムを実行することにより、登録要求部３６１、決済用情報生成部３６２、決済用情報送信部３６３及びコード生成部３６４として機能する。
【００４１】
登録要求部３６１は、店舗及びサービス提供者の登録要求を決済処理装置１に送信する。具体的には、登録要求部３６１は、操作部３１がサービス提供者から、店舗及びサービス提供者の登録操作を受け付けると、店舗に関する店舗情報と、当該店舗に属するサービス提供者の情報である提供者情報を受け付けるための登録受付画面を表示部３４に表示させ、店舗及び提供者の登録を受け付ける。ここで、店舗情報には、店舗が属する事業者の情報も含まれていてもよい。
【００４２】
決済用情報生成部３６２は、決済対象の一以上の商品を特定し、決済用情報を生成する。具体的には、決済用情報生成部３６２は、操作部３１においてサービス提供者が入力した商品ＩＤ又は読取部３２が商品に付されたバーコードから読み取った商品ＩＤを取得することにより、取得した商品ＩＤの商品を決済対象の商品と特定する。決済用情報生成部３６２は、記憶部３５に記憶されている商品ＤＢを参照し、取得した商品ＩＤに関連付けられている商品の価格を特定する。決済用情報生成部３６２は、操作部３１においてサービス提供者が入力した商品ＩＤ又は読取部３２が商品に付されたバーコードから読み取った商品ＩＤを一以上取得し、当該商品ＩＤから特定した商品の価格を集計する。決済用情報生成部３６２は、操作部３１において精算操作を受け付けると、集計した商品の価格を決済金額に決定する。決済用情報生成部３６２は、決済金額と、店舗を識別する店舗識別情報としての店舗ＩＤとを含む決済情報を生成する。
【００４３】
また、決済用情報生成部３６２は、決済処理装置１に送信する提供者ＩＤを特定する。例えば、決済用情報生成部３６２は、操作部３１を介して提供者ＩＤの入力を受け付け、受け付けた提供者ＩＤが記憶部３５に記憶されている場合、当該提供者ＩＤを、決済処理装置１に送信する提供者ＩＤとして特定する。決済用情報生成部３６２は、記憶部３５に記憶されている一以上の提供者ＩＤと、サービス提供者の氏名との少なくともいずれかを表示部３４に表示させ、いずれかの提供者ＩＤ又はサービス提供者の氏名の選択を受け付けることにより、決済処理装置１に送信する提供者ＩＤを特定する。
【００４４】
決済用情報送信部３６３は、決済用情報生成部３６２が決済情報を生成するとともに、提供者ＩＤを特定すると、通信部３３を介して、当該提供者ＩＤと、当該決済情報と、決済用コードの発行要求とを決済処理装置１に送信する。
【００４５】
コード生成部３６４は、決済処理装置１から決済用トークンが送信されると、決済用トークンに基づく決済用コードを生成する。コード生成部３６４は、例えば、予め定められた規則に基づいて決済用コードを生成する。コード生成部３６４は、生成した決済用コードを表示部３４に表示させる。
【００４６】
［制御部１３の各部の動作］
続いて、制御部１３の各部の動作について説明する。
登録部１３１は、提供者端末３から店舗情報及びサービス提供者の登録要求を受け付けることにより、店舗の登録、及びサービス提供者の登録を行う。例えば、登録部１３１は、提供者端末３から店舗情報の登録要求を受け付ける。登録部１３１は、店舗情報の登録要求を受け付けると、店舗ＩＤを生成し、店舗情報と、店舗ＩＤとを関連付けて記憶部１２に記憶させることにより、店舗を登録する。
【００４７】
ここで、店舗ＩＤには、店舗が属する事業者を識別する事業者ＩＤが含まれているものとする。なお、本実施形態では、登録部１３１は、事業者ＩＤを含む店舗ＩＤを生成したが、これに限らず、店舗ＩＤとは別に、店舗を運営する事業者の事業者ＩＤを生成してもよい。登録部１３１は、店舗ＩＤとは別に事業者ＩＤを生成した場合、事業者ＩＤと店舗ＩＤとを関連付けて記憶部１２に記憶させてもよい。また、事業者が一つの店舗のみを運営する場合、店舗ＩＤと事業者ＩＤとは同一であってもよい。
【００４８】
また、登録部１３１は、提供者端末３から、登録した店舗に関連付けるサービス提供者を識別するための提供者情報を受け付ける。登録部１３１は、提供者情報を受け付けると、提供者ＩＤを生成する。登録部１３１は、登録した店舗の店舗ＩＤに、生成した提供者ＩＤを関連付けて記憶部１２に記憶させる。なお、登録部１３１は、提供者端末３を識別する端末ＩＤを提供者端末３からさらに受け付けてもよい。そして、登録部１３１は、受け付けた提供者ＩＤと、端末ＩＤとを関連付けて記憶部１２に記憶させてもよい。
【００４９】
なお、登録部１３１は、提供者端末３から店舗情報及びサービス提供者の登録要求を受け付けることにより、店舗の登録、及びサービス提供者の登録を行うこととしたが、これに限らない。登録部１３１は、提供者端末３とは異なり、店舗において使用される端末やサーバから、店舗情報及びサービス提供者の登録要求を受け付けることにより、店舗の登録、及びサービス提供者の登録を行うようにしてもよい。この場合、提供者端末３と、店舗において使用される端末やサーバは同じものであってもよい。また、本実施形態において、端末ＩＤと、提供者ＩＤとは異なるものとしたが、これに限らず、提供者ＩＤを端末ＩＤとして用いるようにしてもよい。
【００５０】
発行要求受信部１３２は、提供者端末３から、提供者ＩＤと、ユーザの商品の購入に関する決済情報と、決済用コードの発行要求とを受信する。
【００５１】
トークン送信部１３３は、発行要求受信部１３２が決済用コードの発行要求を受信すると、決済用コードを生成するための決済用トークンを提供者端末３に送信する。具体的には、まず、トークン送信部１３３は、発行要求受信部１３２が決済用コードの発行要求を受信すると、決済用トークンを生成する。トークン送信部１３３は、発行要求受信部１３２が受信した提供者ＩＤと、決済情報と、生成した決済用トークンとを関連付けて記憶部１２に記憶させる。また、トークン送信部１３３は、生成した決済用トークンを、決済用コードの発行要求を送信した提供者端末３に送信する。
【００５２】
なお、トークン送信部１３３は、決済用トークンを生成し、受信した提供者ＩＤと、決済情報と、生成した決済用トークンとを関連付けて記憶部１２に記憶させることとしたが、これに限らない。トークン送信部１３３は、提供者ＩＤを含む決済用トークンを生成し、生成した決済用トークンと、受信した決済情報とを関連付けて記憶部１２に記憶させるようにしてもよい。
【００５３】
また、トークン送信部１３３は、提供者ＩＤに加えて、事業者ＩＤを含む店舗ＩＤと、決済金額とをさらに含む決済用トークンを生成してもよい。この場合、生成した決済用トークンと、受信した決済情報とを関連付けて記憶部１２に記憶させないようにしてもよい。このようにすることで、決済用トークンに、決済を行うために必要な情報が含まれることから、決済処理装置１は、ユーザ端末２から受信した決済用トークン及びユーザＩＤに基づいて決済を完了させることができる。
【００５４】
決済用情報受信部１３４は、トークン送信部１３３が送信した決済用トークンに基づいて提供者端末３が表示した決済用コードを読み取ったユーザ端末２から、決済用トークンと、チップ情報と、ユーザＩＤとを受信する。
【００５５】
決済処理部１３５は、決済用情報受信部１３４が決済用トークンを受信すると、ユーザ端末２から受信した決済用トークンに対応する決済情報及び提供者ＩＤと、ユーザ端末２から受信したチップ情報とに基づいて決済を実行する。
【００５６】
具体的には、まず、決済処理部１３５は、決済用情報受信部１３４が受信した決済用トークンに関連付けられて記憶部１２に記憶されている決済情報及び提供者ＩＤを特定する。
【００５７】
続いて、決済処理部１３５は、特定した決済情報に含まれている決済金額と、ユーザ端末２から受信したチップ情報が示すチップの額との合計額を、ユーザ端末２から受信したユーザＩＤで特定されるユーザの口座から引き落とす処理を実行する。
【００５８】
また、決済処理部１３５は、特定した決済情報に含まれている店舗ＩＤで特定される店舗の口座に、特定した決済情報に含まれている決済金額を入金する処理を実行する。決済処理部１３５は、決済金額から、決済処理装置１における決済手数料を差し引いた金額を、店舗の口座に入金してもよい。
【００５９】
また、決済処理部１３５は、ユーザ端末２から受信したチップ情報と、特定した提供者ＩＤとに基づいてサービス提供者にチップの額を付与する。例えば、決済処理部１３５は、特定した提供者ＩＤで特定されるサービス提供者の口座に、ユーザ端末２から受信したチップ情報が示すチップの額を入金する処理を実行することにより、サービス提供者にチップの額を付与する。
【００６０】
なお、決済処理部１３５は、ユーザの商品又はサービスの購入に係る支払金額と、特定した提供者ＩＤと、決済用トークンを受信した日時とを関連付けて記憶部１２に記憶させるようにしてもよい。例えば、決済処理部１３５は、提供者端末３から受信した決済情報に含まれている決済金額と、ユーザ端末２から受信したチップ情報と、特定した提供者ＩＤと、決済用トークンを受信した日時とを関連付けて決済管理情報として記憶部１２に記憶させるようにしてもよい。このようにすることで、決済管理情報を参照することで、サービス提供者ごとの売り上げを管理することができる。また、決済処理部１３５は、決済管理情報を参照して所定期間にサービス提供者に付与されたチップの額を集計し、集計したチップの額をまとめてサービス提供者に付与するようにしてもよい。
【００６１】
決済処理部１３５は、決済情報に基づく決済が行われた場合に、決済が完了したことを示す決済完了情報をユーザ端末２及び提供者端末３に通知する。また、決済処理部１３５は、決済情報に基づく決済が行われた場合に、決済完了情報と、提供者ＩＤと、提供者ＩＤが示すサービス提供者に付与されたチップの額を示す情報とを関連付けて提供者端末３に送信し、提供者端末３に、サービス提供者に付与されたチップの額を示す情報を表示させる。このようにすることで、サービス提供者は、自身に付与されたチップの額を確認することができる。
【００６２】
［動作シーケンス］
図６は、決済システムＳの動作シーケンス図である。図７は、図６に続く動作シーケンス図である。
図６に示すシーケンス図は、提供者端末３のサービス提供者が店舗、サービス提供者の登録操作をしたところから開始している（Ｓ１）。登録要求部３６１は、店舗情報及び提供者情報を含む、店舗及びサービス提供者の登録要求を決済処理装置１に送信する（Ｓ２）。
【００６３】
決済処理装置１の登録部１３１は、提供者端末３から登録要求を受信すると、店舗ＩＤ及び提供者ＩＤを生成する（Ｓ３）。登録部１３１は、生成した店舗ＩＤと、提供者ＩＤとを関連付けて記憶部１２に記憶させることにより、店舗、サービス提供者を登録する（Ｓ４）。
【００６４】
その後、ユーザが提供者端末３を使用するサービス提供者に選択した商品を持ち込む。提供者端末３の決済用情報生成部３６２は、操作部３１においてサービス提供者が入力した商品ＩＤ又は読取部３２が商品に付されたバーコードから読み取った商品ＩＤを取得し、当該商品ＩＤに関連付けられている商品の価格を特定することにより、決済金額を算出する。そして、決済用情報生成部３６２は、決済金額と、店舗ＩＤと、決済時刻情報とを含む決済情報を生成する（Ｓ５）。決済用情報送信部３６３は、サービス提供者の提供者ＩＤと、生成した決済情報と、決済用コードの発行要求とを決済処理装置１に送信する（Ｓ６）。
【００６５】
決済処理装置１の発行要求受信部１３２は、提供者ＩＤと、決済情報と、決済用コードの発行要求とを受信する。トークン送信部１３３は、決済用トークンを生成する（Ｓ７）。トークン送信部１３３は、生成した決済用トークンと、提供者ＩＤと、決済情報とを関連付けて記憶部１２に記憶させる（Ｓ８）。トークン送信部１３３は、生成した決済用トークンを、決済用コードの発行要求を送信した提供者端末３に送信する（Ｓ９）。
【００６６】
図７に説明を移す。提供者端末３のコード生成部３６４は、決済処理装置１から受信した決済用トークンに基づく決済用コードを生成し、生成した決済用コードを表示部３４に表示させる（Ｓ１０）。ユーザは、ユーザ端末２を操作して、提供者端末３に表示された決済用コードをユーザ端末２に読み取らせる（Ｓ１１）。
【００６７】
ユーザ端末２が決済用コードを読み取ると、操作受付部２６１は、チップの額を受け付ける（Ｓ１２）。ユーザ端末２のトークン送信部２６３は、決済用コードから得られる決済用トークンと、ユーザＩＤと、チップの額を示すチップ情報とを決済処理装置１に送信する（Ｓ１３）。決済用情報受信部１３４は、ユーザ端末２から、決済用トークンと、ユーザＩＤと、チップ情報とを受信する。
【００６８】
続いて、決済処理部１３５は、記憶部１２を参照し、ユーザ端末２から受信した決済用トークンに関連付けられている提供者ＩＤと決済情報とを特定する（Ｓ１４）。決済処理部１３５は、特定した決済情報及び提供者ＩＤと、ユーザ端末２から受信したユーザＩＤとに基づいて決済処理を行う（Ｓ１５）。
【００６９】
続いて、決済処理部１３５は、決済が完了したことを示す決済完了情報をユーザ端末２に通知するとともに（Ｓ１６）、決済完了情報と、提供者ＩＤと、チップ情報とを提供者端末３に通知する（Ｓ１７）。
【００７０】
［変形例］
以上の説明においては、発行要求受信部１３２は、提供者端末３から、提供者ＩＤと、ユーザの商品の購入に関する決済情報と、決済用コードの発行要求とを受信したが、これに限らない。発行要求受信部１３２は、提供者端末３から、提供者端末３の端末ＩＤをさらに受信してもよい。そして、トークン送信部１３３は、受信した端末ＩＤと、提供者ＩＤとが関連付けて記憶部１２に記憶されている場合に、決済用トークンを生成し、提供者ＩＤと、端末ＩＤと、決済情報と、生成した決済用トークンとを関連付けて記憶部１２に記憶させるようにしてもよい。このようにすることで、サービス提供者が、サービス提供のために使用した端末を特定することができる。
【００７１】
また、提供者端末３は、ユーザが商品を購入する際に決済用コードの発行要求を決済処理装置１に行ったが、これに限らない。例えば、ユーザが商品を購入する前に、提供者端末３が、決済用コードの発行要求を行ってもよい。
【００７２】
図８は、ユーザが商品を購入する前に、提供者端末３が決済用コードの発行要求を行うときの決済システムＳの動作シーケンス図である。図９は、図８に続く動作シーケンス図である。
【００７３】
図８に示すシーケンスでは、図６と同様に、まず、提供者端末３のサービス提供者が店舗、サービス提供者の登録操作をしたところから開始している（Ｓ３１）。登録要求部３６１は、店舗及びサービス提供者の登録要求を決済処理装置１に送信する（Ｓ３２）。
【００７４】
決済処理装置１の登録部１３１は、提供者端末３から登録要求を受信すると、店舗ＩＤ及び提供者ＩＤを生成する（Ｓ３３）。登録部１３１は、提供者端末３を識別する端末ＩＤを受信し、当該端末ＩＤを提供者ＩＤとしたり、当該端末ＩＤに基づいて提供者ＩＤを生成してもよい。登録部１３１は、生成した店舗ＩＤと、提供者ＩＤとを関連付けて記憶部１２に記憶させることにより、店舗、サービス提供者を登録する（Ｓ３４）。登録部１３１は、店舗ＩＤを提供者端末３に通知する（Ｓ３５）。
【００７５】
続いて、決済用情報送信部３６３は、決済用コードの発行要求と、店舗ＩＤとを決済処理装置１に送信する（Ｓ３６）。決済処理装置１のトークン送信部１３３は、発行要求受信部１３２が店舗に関する店舗ＩＤと決済用コードの発行要求とを受信すると、受信した店舗ＩＤに関連付けられている一以上の提供者ＩＤごとに、決済用トークンを生成する（Ｓ３７）。
【００７６】
なお、決済用情報送信部３６３は、店舗ＩＤが通知されると、決済用コードの発行要求を決済処理装置１に送信したが、これに限らない。店舗、サービス提供者の登録要求を受信したことに応じて、一連の処理として、提供者ＩＤごとに決済用トークンを生成してもよい。
【００７７】
トークン送信部１３３は、複数の決済用トークンのそれぞれに、異なる提供者ＩＤと、提供者ＩＤが示す提供者が属する同一の店舗を示す店舗ＩＤとを関連付けて記憶部１２に記憶させる。すなわち、トークン送信部１３３は、提供者ＩＤごとに生成した決済用トークンと、店舗ＩＤと、提供者ＩＤとを関連付けて記憶部１２に記憶させる（Ｓ３８）。トークン送信部１３３は、生成した決済用トークンと、提供者ＩＤとを、決済用コードの発行要求を送信した提供者端末３に送信する（Ｓ３９）。
【００７８】
コード生成部３６４は、決済処理装置１から決済用トークンを受信すると、決済用トークンと提供者ＩＤとを関連付けて記憶部３５に記憶させる（Ｓ４０）。
【００７９】
図９に説明を移す。店舗において、ユーザは、購入する商品を選択し、提供者端末３を使用するサービス提供者に選択した商品を持ち込む。提供者端末３のコード生成部３６４は、サービス提供者から、提供者ＩＤの選択を受け付けると、記憶部３５に記憶されている決済用トークンのうち、選択された提供者ＩＤに関連付けられている決済用トークンに基づく決済用コードを生成し、生成した決済用コードを表示部３４に表示させる（Ｓ４１）。ユーザは、ユーザ端末２を操作して、提供者端末３に表示された決済用コードをユーザ端末２に読み取らせる（Ｓ４２）。
【００８０】
ユーザ端末２の操作受付部２６１は、ユーザから決済金額とチップの額との入力を受け付ける（Ｓ４３）。トークン送信部２６３は、決済用コードから得られる決済用トークンと、決済金額を含む決済情報と、チップの額を示すチップ情報と、ユーザＩＤとを決済処理装置１に送信する（Ｓ４４）。決済用情報受信部１３４は、ユーザ端末２から、決済用トークンと、決済情報と、チップ情報と、ユーザＩＤとを受信する。
【００８１】
決済処理部１３５は、受信した決済用トークンが記憶部１２に記憶されているか否かを判定する。決済処理部１３５は、受信した決済用トークンが記憶部１２に記憶されていると判定すると、当該決済用トークンに関連付けられている提供者ＩＤと店舗ＩＤとを特定する（Ｓ４５）。そして、決済処理部１３５は、ユーザ端末２から受信した決済情報と、チップ情報と、ユーザＩＤと、特定した店舗ＩＤと、提供者ＩＤとに基づいて決済処理を行う（Ｓ４６）。
【００８２】
続いて、決済処理部１３５は、決済が完了したことを示す決済完了情報をユーザ端末２に通知するとともに（Ｓ４７）、決済完了情報と、提供者ＩＤと、チップ情報とを提供者端末３に通知する（Ｓ４８）。
【００８３】
なお、本シーケンスにおいて、ユーザ端末２は、ユーザから決済金額を受け付け、決済用トークンと、決済金額と、ユーザＩＤとを含む決済要求を決済処理装置１に送信したが、これに限らない。例えば、店舗において扱う商品の金額が同一である場合、決済用情報送信部３６３は、ユーザが商品を購入する前に、決済用コードの発行要求と、決済金額と、店舗ＩＤとを決済処理装置１に送信してもよい。
【００８４】
そして、トークン送信部１３３が、生成した決済用トークンと、受信した店舗ＩＤと、受信した決済金額とを関連付けて記憶部１２に記憶させるようにしてもよい。この場合、ユーザ端末２は、決済用コードの読取時に、ユーザからチップの額の入力のみ受け付け、決済用コードから得られる決済用トークンと、チップの額を示すチップ情報と、ユーザＩＤとを決済処理装置１に送信してもよい。
【００８５】
また、本シーケンスにおいて、コード生成部３６４が、ユーザが商品を購入する際に、記憶部３５に記憶されている決済用トークンに基づいて決済用コードを生成し、表示部３４に表示させたが、これに限らない。提供者端末３のサービス提供者は、提供者端末３に決済用コードを表示させる代わりに、自身の提供者ＩＤに対応する決済用コードを予め紙等に印刷しておき、ユーザが商品を購入する際に、紙等に印刷された決済用コードをユーザに提示してもよい。
【００８６】
［決済システムＳによる効果］
以上説明したように、決済処理装置１は、提供者端末３から、提供者を識別する提供者ＩＤと、ユーザの商品又はサービスの購入に関する決済情報と、購入に関する決済を行うための決済用コードの発行要求とを受信し、決済用コードを生成するための決済用トークンと、受信した提供者ＩＤと、受信した決済情報とを関連付けて記憶部１２に記憶させる。決済処理装置１は、提供者端末３が表示した決済用コードを読み取ったユーザ端末２から、決済用トークンと、ユーザＩＤとを受信すると、受信した決済用トークンに対応する決済情報に基づく決済を実行する。このようにすることで、決済処理装置１は、ユーザにサービスを提供したサービス提供者を特定することができる。
【００８７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８８】
１  決済処理装置
２  ユーザ端末
３  提供者端末
１１  通信部
１２  記憶部
１３  制御部
２１  操作部
２２  通信部
２３  読取部
２４  表示部
２５  記憶部
２６  制御部
３１  操作部
３２  読取部
３３  通信部
３４  表示部
３５  記憶部
３６  制御部
１３１  登録部
１３２  発行要求受信部
１３３  トークン送信部
１３４  決済用情報受信部
１３５  決済処理部
２６１  操作受付部
２６２  要求送信部
２６３  トークン送信部
３６１  登録要求部
３６２  決済用情報生成部
３６３  決済用情報送信部
３６４  コード生成部
【要約】      （修正有）【課題】ユーザにサービスを提供したサービス提供者を特定する決済処理方法を提供する。【解決手段】決済処理装置１は、商品又はサービスを提供する提供者が使用する提供者端末から、提供者を識別する提供者ＩＤと、ユーザの商品又はサービスの購入に関する決済情報と、決済用コードの発行要求とを受信する発行要求受信部１３２と、決済用コードを生成するための決済用トークンと、受信した提供者ＩＤと、受信した前記決済情報とを関連付けて記憶部１２に記憶させ、決済用トークンを提供者端末３に送信するトークン送信部１３３と、決済用トークンに基づいて提供者端末が表示した決済用コードを読み取ったユーザが使用するユーザ端末から、決済用トークンを受信する決済用情報受信部１３４と、決済用トークンを受信すると、ユーザ端末から受信した決済用トークンに対応する決済情報に基づく決済を実行する決済処理部１３５と、を有する。【選択図】図２【図１】
0006910509.tif 000002
【図２】
0006910509.tif 000003
【図３】
0006910509.tif 000004
【図４】
0006910509.tif 000005
【図５】
0006910509.tif 000006
【図６】
0006910509.tif 000007
【図７】
0006910509.tif 000008
【図８】
0006910509.tif 000009
【図９】
0006910509.tif 000010